(57)【要約】  【課題】回動の際の掃除機本体とアームとの間のストレスを低減できるアップライト型電気掃除機を提供する。  【解決手段】アーム８の掃除機本体２に対する回動を阻止する基端固定部45および先端固定部46をアーム８の長手方向に互いに離間してそれぞれ設ける。両固定部45，46で、アーム８を掃除機本体２に着脱可能に固定する。アーム８の掃除機本体２に対する回動を、両固定部45，46で阻止することで、回動の際に掃除機本体２とアーム８との間で発生するストレスをアーム８の長手方向の２箇所に分散して低減できる。  【選択図】図１
2005118306.tif 000002
【特許請求の範囲】
【請求項１】
電動送風機を収容した掃除機本体と、
この掃除機本体の下方に設けられた吸込口体と、
把持部を備え、前記電動送風機の吸込側および前記吸込口体の下流側にそれぞれ連通する風路を形成するとともに前記掃除機本体を操作可能にする長手状のアームと、
このアームの長手方向に互いに離間されてそれぞれ設けられ、前記アームを前記掃除機本体に着脱可能に固定する複数の固定部と
を具備したことを特徴としたアップライト型電気掃除機。
【請求項２】
固定部は、アームが掃除機本体に装着された状態で、アームの軸方向を中心軸とした周方向への回動を阻止する阻止部を備えている
ことを特徴とした請求項１記載のアップライト型電気掃除機。
【請求項３】
固定部は、アームの軸方向を中心軸とした周囲の一部に略平面状の平面状部を備えている
ことを特徴とした請求項１または２記載のアップライト型電気掃除機。
【請求項４】
一の固定部は、平面状部の少なくとも一部が、アームの軸方向を中心として他の固定部の平面状部の少なくとも一部と互いに反対の位置に設けられている
ことを特徴とした請求項３記載のアップライト型電気掃除機。
【請求項５】
把持部は、解除操作部を有するとともにアームと一体的に設けられ、
前記解除操作部の操作により、少なくとも一つの固定部による前記アームの掃除機本体への固定を解除する解除手段を具備した
ことを特徴とした請求項１ないし４いずれか一記載のアップライト型電気掃除機。
【発明の詳細な説明】
【技術分野】
【０００１】
本発明は、掃除機本体を操作可能にする長手状のアームを備えたアップライト型電気掃除機に関する。
【背景技術】
【０００２】
従来、この種のアップライト型電気掃除機は、電動送風機を収容した長手状の掃除機本体を備えている。この掃除機本体の下端部には、電動送風機の吸込側に連通する吸込口体としての床ブラシが前後方向に走行可能に設けられている。また、掃除機本体の上部には、この掃除機本体を操作可能にする長手状のアームの下端部が固定されている。そして、作業者はアームを把持して床ブラシを被掃除面としての床面上で前後に走行させて掃除する（例えば、特許文献１参照。）。
【特許文献１】特開２０００−１９７５９１号公報（第３頁、図１）
【発明の開示】
【発明が解決しようとする課題】
【０００３】
ところで、部屋などを掃除する際に掃除機本体を移動させる場合には、作業者がアームを把持した状態でこのアームとともに掃除機本体を回動させることがある。
【０００４】
しかしながら、上述の電気掃除機では、アームの下端部のみが掃除機本体に取り付けられているため、回動の際に、掃除機本体とアームとの間に比較的大きいストレスが加わるという問題点を有している。
【０００５】
本発明は、このような点に鑑みなされたもので、回動の際の掃除機本体とアームとの間のストレスを低減できるアップライト型電気掃除機を提供することを目的とする。
【課題を解決するための手段】
【０００６】
本発明は、掃除機本体の下方に設けられた吸込口体と、把持部を備え、電動送風機の吸込側および吸込口体の下流側にそれぞれ連通する風路を形成するとともに掃除機本体を操作可能にする長手状のアームと、このアームの長手方向に互いに離間されてそれぞれ設けられ、アームを掃除機本体に着脱可能に固定する複数の固定部とを具備したものである。そして、掃除機本体を操作可能にするアームの長手方向に互いに離間された複数の固定部でアームを掃除機本体に着脱可能に固定することにより、回動の際に掃除機本体とアームとの間で発生するストレスをアームの長手方向の複数箇所に分散して低減することが可能になる。
【発明の効果】
【０００７】
本発明によれば、アームの長手方向に互いに離間された複数の固定部でアームを掃除機本体に着脱可能に固定することにより、回動の際に掃除機本体とアームとの間で発生するストレスをアームの長手方向の複数箇所に分散して低減できる。
【発明を実施するための最良の形態】
【０００８】
以下、本発明の第１の実施の形態のアップライト型電気掃除機の構成を図１ないし図５を参照して説明する。
【０００９】
図５において、１はアップライト型電気掃除機で、このアップライト型電気掃除機１は、上下方向に沿って長手状の掃除機本体２を備えており、この掃除機本体２には、下側に電動送風機３が収容され、この電動送風機３の上方に、集塵部４が設けられている。さらに、この掃除機本体２は、集塵部４の上流側すなわち吸込側に連通するホース体５が後側の上部に接続され、このホース体５の吸込側である先端部には、円筒状の接続管部６、握り管部７および延長管としてのアーム８が順次連通接続されている。またさらに、このアーム８の吸込側である先端部は、掃除機本体２の後側下部に設けられた筒状の取付部９の一端部である上端部に挿入されている。そして、取付部９の他端部である下端部には、吸込口体としての床ブラシ11の下流側すなわち排気側である基端部が挿入されて連結されている。
【００１０】
掃除機本体２は、アップライト型電気掃除機１を持ち運び可能にする円弧状の取手部12が上端部に設けられている。また、この掃除機本体２の後側の上部には、アーム８が抜け止め固定されるアーム固定部13が設けられている。さらに、掃除機本体２の後部には、電動送風機３の排気側に連通する長孔状の複数の排気孔14が穿設されている。
【００１１】
アーム固定部13は、図２に示すように、掃除機本体２の後端部に切り欠き形成された四角形状の嵌合凹部16を備えている。
【００１２】
この嵌合凹部16は、掃除機本体２の後方および上方にそれぞれ開口した空間部であり、アーム８の基端固定部45の固定係合部52の外形形状に沿った四角形状の内形形状を有している。したがって、嵌合凹部16の前部には、掃除機本体２の上下方向に沿って面方向を有する平面状の本体側平面部16aが形成されている。また、この嵌合凹部16内には、この嵌合凹部16の底部16bから上方に向けて垂直に突設された嵌合突出部17が設けられている。
【００１３】
嵌合突出部17は、掃除機本体２の幅方向に沿って円弧状に設けられた円弧部17aと、この円弧部17aの両端部から掃除機本体２の前側へと延設された延設部17b，17bとを有している。
【００１４】
円弧部17aは、嵌合凹部16の両側面部16c，16cから離間された位置に両端部がそれぞれ位置している。また、この円弧部17aは、掃除機本体２の前側に向けてアーム８の外形に対して略平行な凸弧状となるように設けられている。
【００１５】
延設部17b，17bは、嵌合凹部16の両側面部16c，16cから離間され、これら両側面部16c，16cに対して略平行に設けられている。また、これら延設部17b，17bは、先端部が嵌合凹部16の本体側平面部16aに対向し、この本体側平面部16aから離間されている。
【００１６】
また、嵌合凹部16の前側に位置した部分には、四角形状の空間部であるクランプ嵌合部18が切り欠き形成されている。このクランプ嵌合部18には、操作クランプ19が嵌合している。
【００１７】
この操作クランプ19は、上方に突出した操作ボタン19aと、嵌合突出部17の円弧部17aの前側に対向して嵌合凹部16内に突出した図示しない係合部とを備えている。
【００１８】
操作ボタン19aは、図示しないばねなどにより後方向に付勢された状態で前後方向に進退可能となっている。そして、係合部は、操作ボタン19aの前後方向の進退に連動して前後方向に進退する。
【００１９】
さらに、掃除機本体２の後部には、掃除機本体２の長手方向に沿って嵌合円弧部21が切り欠き形成されている。この嵌合円弧部21は、アーム固定部13の下部から取付部９内の本体側円弧面部75へと連続して直線状に形成され、アーム８の外形形状に沿って平面視で半円凹弧状となっている。
【００２０】
電動送風機３は、図５に示すように、吸込側を上側に向けた状態で掃除機本体２内に収容されている。また、この電動送風機３は、吸込側が集塵部４に気密に連結されている。さらに、この電動送風機３は、図１に示すように、掃除機本体２の後部に回転可能に設けられたコードリール22に引き出しおよび巻き取り可能に巻回された電源コード24を介して、図示しない外部電源から供給される電力で駆動される。
【００２１】
ここで、電源コード24は、掃除機本体２の後側の上下方向の中心域に設けられたコード口25から先端部が掃除機本体２の外部に導出され、掃除機本体２の外部へと引き出し可能となっている。
【００２２】
集塵部４は、図５に示すように、排気側である下端部が電動送風機３の吸込側に気密に連結されているとともに、吸込側である上端部がホース体５の排気側である基端部に気密に連結されている。この集塵部４は、例えば電動送風機３の駆動により床ブラシ11などから空気とともに吸い込まれた塵埃に直進方向の慣性力を与えて空気から分離して捕集するものである。
【００２３】
ホース体５は、可撓性を有する合成樹脂などで細長い蛇腹円筒状に設けられ、軸方向へと伸縮可能に設けられている。
【００２４】
接続管部６は、ホース体５よりも硬質の合成樹脂などで円筒状に形成され、ホース体５と同軸状に設けられてこのホース体５の先端部に連通している。また、この接続管部６は、握り管部７の排気側である基端部に着脱可能に連通接続される。
【００２５】
握り管部７は、接続管部６の吸込側である先端部およびアーム８の排気側である基端部にそれぞれ連通する略円筒状の本体部41と、この本体部41から径方向に突出した把持部42とを備えている。この把持部42は、本体部41の先端側の外側面から突出し、本体部41の基端側へと屈曲されている。また、この把持部42には、電動送風機３を所定の駆動モードで駆動させる図示しない複数の設定ボタンが設けられている。
【００２６】
アーム８は、アップライト型電気掃除機１を作業者が操作可能にするもので、例えばアルミニウムなどの金属で細長円筒状すなわち長手状に形成されている。このアーム８は、握り管部７、接続管部６、ホース体５および集塵部４を介して電動送風機３の吸込側に連通するとともに、取付部９に取り付けられた状態で電動送風機３の吸込側と床ブラシ11の排気側とにそれぞれ連通する風路を形成する。
【００２７】
また、このアーム８の基端部近傍には、図１ないし図３に示すように、このアーム８を掃除機本体２のアーム固定部13に対して着脱可能に固定する固定部としての筒状の基端固定部45が同軸状に一体的に設けられている。さらに、このアーム８の先端部の外周面には、図１および図４に示すように、取付部９に挿入される固定部としての筒状の先端固定部46が同軸状に一体的に設けられている。そして、基端固定部45とアーム固定部13とで、アーム８を掃除機本体２に対して抜け止めする抜け止め機構47が構成されている。
【００２８】
基端固定部45は、例えば硬質の合成樹脂などで成形され、円筒状の基端固定部本体51と、この基端固定部本体51の下端部から前方に突出した平面視で四角形状の固定係合部52とを備えている。
【００２９】
基端固定部本体51は、図２および図３に示すように、略円筒状の前カバー53と、この前カバー53の後部に螺子54により取り付けられた後カバー55とを備えている。前カバー53内には、アーム８が挿通されている。また、この前カバー53の前側の外周部は、固定係合部52内に突出している。
【００３０】
固定係合部52は、嵌合凹部16の幅寸法と略等しい幅寸法および嵌合凹部16の深さ寸法と略等しい高さ寸法を有している。このため、この固定係合部52は、アーム固定部13に基端固定部45を固定した状態で、嵌合凹部16の内側部に略隙間なく嵌合可能である。
【００３１】
また、この固定係合部52は、下端部が基端固定部本体51の下端部と略面一となっている。さらに、この固定係合部52には、阻止部としての平面状の平面状部、すなわち上部固定面であるアーム側上部固定面部61，61が両側部にそれぞれ形成されている。そして、この固定係合部52の前側には、阻止部としての平面状の平面状部であるアーム側上部平面部62が両アーム側上部固定面部61の間に連続して形成されている。すなわち、アーム側上部固定面部61，61およびアーム側上部平面部62は、それぞれアーム８の軸方向を中心とした周囲に設けられている。
【００３２】
各アーム側上部固定面部61は、アーム固定部13に基端固定部45を取り付けた状態で、嵌合凹部16の両側面部16c，16cに対して平行に、略隙間なく対向している。そして、これら両アーム側上部固定面部61，61および両側面部16c，16cにより、アーム固定部13と基端固定部45とが互いに固定され、アーム８の長手方向である軸方向を中心軸とした掃除機本体２に対するアーム８の周方向への回動が阻止されている。
【００３３】
アーム側上部平面部62は、基端固定部45の軸方向すなわちアーム８の軸方向に沿って面方向を有している。また、このアーム側上部平面部62は、アーム固定部13に基端固定部45を固定する際に、本体側平面部16aに当接することでアーム８を掃除機本体２の長手方向である上下方向に案内するガイド面となるものである。
【００３４】
また、固定係合部52の内部には、この固定係合部52の下端側に開口した略四角形状のアーム側嵌合凹部63が形成されている。このアーム側嵌合凹部63は、固定係合部52の下端部から上端部近傍に亘って四角形状に形成されている。そして、このアーム側嵌合凹部63内には、基端固定部本体51の前側の一部が突出するとともに、この基端固定部本体51の前方に設けられた複数のリブ64が突出している。
【００３５】
これらリブ64は、固定係合部52の下端部からアーム側嵌合凹部63の上端部に亘って、基端固定部45の軸方向に沿ってそれぞれ直線状に設けられている。また、これらリブ64は、固定係合部52の幅方向に互いに略等間隔に離間されている。さらに、これらリブ64は、それぞれ基端固定部本体51の外周からの突出量が等しい。このため、各リブ64は、先端部がアーム８の外周に略沿った円弧状となるようにアーム側嵌合凹部63内に配置されている。この結果、アーム側嵌合凹部63内は、嵌合突出部17が嵌合可能な空間部となっている。
【００３６】
さらに、アーム側上部平面部62には、アーム側嵌合凹部63の内部に連通する係合孔部65が穿設されている。この係合孔部65には、操作クランプ19の係合部が係合可能であり、操作クランプ19の操作により係合部が係合孔部65に係脱されることで、アーム８が掃除機本体２に対して着脱可能に固定される。
【００３７】
一方、先端固定部46は、図４に示すように、例えば硬質の合成樹脂などで筒状に成形され、下端部がアーム８の下端部と略面一になるように取り付けられている。また、この先端固定部46の外側部の前側には、アーム８の外周部に略沿った円弧状のアーム側円弧面部71が形成されている。さらに、この先端固定部46の外側部の両側部には、掃除機本体２の前後方向に沿って面方向を有する阻止部としての平面状の平面状部、すなわち下部固定面であるアーム側下部固定面部72，72が、アーム側円弧面部71の両側部に連続してそれぞれ形成されている。そして、この先端固定部46の外側部の後側には、阻止部としての平面状の平面状部であるアーム側下部平面部73が両アーム側下部固定面部72の間に連続して形成されている。この結果、先端固定部46は、平面視で略Ｄ字状に形成されている。そして、アーム側下部固定面部72，72とアーム側下部平面部73とは、アーム８の軸方向を中心軸とした周囲に設けられている。
【００３８】
アーム側円弧面部71は、先端固定部46を取付部９内に固定した状態でこの取付部９内の前側に位置した本体側円弧面部75に略隙間なく対向する。
【００３９】
両アーム側下部固定面部72は、先端固定部46を取付部９内に固定した状態でこの取付部９内の両本体側下部固定面部76，76に平行に、略隙間なく対向している。そして、これら両アーム側下部固定面部72，72および両本体側下部固定面部76，76により、取付部９と先端固定部46とが互いに固定され、アーム８の長手方向である軸方向を中心軸とした掃除機本体２に対するアーム８の周方向への回動が阻止されている。
【００４０】
アーム側下部平面部73は、先端固定部46の軸方向すなわちアーム８の軸方向に沿って面方向を有し、アーム８の軸方向を中心として基端固定部45のアーム側上部平面部62と互いに反対の位置に形成されている。言い換えると、また、このアーム側下部平面部73は、取付部９に先端固定部46を固定する際に、取付部９の本体側下部平面部77に当接することでアーム８を掃除機本体２の長手方向である上下方向に案内するガイド面となるものである。
【００４１】
取付部９は、嵌合円弧部21と連続的に形成された円弧状の本体側円弧面部75を前側に有している。また、この本体側円弧面部75の両側部には、掃除機本体２の前後方向に沿って平面状の本体側下部固定面部76，76が連続して形成されている。さらに、両本体側下部固定面部76の間には、平面状の平面部である本体側下部平面部77が連続して形成されている。
【００４２】
本体側円弧面部75は、アーム８の外形に略沿った円弧状に設けられ、嵌合円弧部21と連続している。
【００４３】
両本体側下部固定面部76は、本体側円弧面部75および本体側下部平面部77にそれぞれ円滑に連続し、掃除機本体２の前後方向に沿って面方向を有している。
【００４４】
本体側下部平面部77は、掃除機本体２の軸方向に略沿って面方向を有している。この本体側下部平面部77は、取付部９に先端固定部46を固定した状態で、アーム側下部平面部73に略隙間なく対向している。
【００４５】
また、本体側下部平面部77の上端部には、図２に示すように、後方に向けて傾斜した傾斜ガイド面部78が連続して設けられている。すなわち、取付部９は、上方に向けて後方に拡開されている。この傾斜ガイド面部78は、取付部９に先端固定部46を固定する際に、アーム側下部平面部73を案内して掃除機本体２の斜め後方からアーム８を取付部９内に挿入可能にするものである。
【００４６】
そして、取付部９には、パッキン79が取り付けられ、アーム８の先端固定部46および床ブラシ11の基端部である連通管82がそれぞれ上下から着脱可能に挿入されて気密に連結される。
【００４７】
床ブラシ11は、図１および図５などに示すように、掃除機本体２の下方に設けられ、被掃除面としての床面に設置されてアップライト型電気掃除機１を支持するもので、アーム８を取付部９の上端部に挿入した状態で、取付部９を介してアーム８の吸込側である先端部に連通している。
【００４８】
また、この床ブラシ11は、床面に対向する下部に図示しない吸込口が開口形成された中空な横長のケース体81を備えている。このケース体81の後部には、吸込口に連通する円筒状の連通管82が回動可能に突設され、この連通管82が取付部９の下端部に挿入されて気密に連結される。
【００４９】
ここで、この連通管82は、取付部９の後部に設けられた図示しないブラシ用クランプにより取付部９から着脱可能となっている。また、この連通管82は、パッキン79に対して気密に当接している。
【００５０】
さらに、床ブラシ11の連通管82の両側部には、ブラシ従動輪84が回転自在にそれぞれ設けられている。これらブラシ従動輪84により、アップライト型電気掃除機１が床面を前後に走行可能となっている。
【００５１】
次に、上記第１の実施の形態の作用を説明する。
【００５２】
アーム８を掃除機本体２に取り付ける際には、まず、アーム８の先端固定部46を掃除機本体２の斜め後方から取付部９の傾斜ガイド面部78に沿って取付部９内に挿入しつつアーム８の先端固定部46を中心として握り管部７側を前方へと回動させ、アーム８の基端固定部45をアーム固定部13の上方に位置させる。
【００５３】
さらに、アーム８の先端固定部46を取付部９の本体側下部平面部77に沿って下方に摺動すなわちスライドさせると、固定係合部52が嵌合凹部16に嵌合する。
【００５４】
このとき、固定係合部52のアーム側上部平面部62が本体側平面部16aに当接して、下方へとガイドされつつスライドするとともに、固定係合部52の前側が操作クランプ19の係合部を前方に押し込む。
【００５５】
そして、この係合部が固定係合部52の係合孔部65の位置で後方へと弾性的に復帰して係合孔部65に係合し、基端固定部45がアーム固定部13に固定されて抜け止めされる。
【００５６】
同時に、リブ64が嵌合突出部17の円弧部17aに当接した状態で、この嵌合突出部17がアーム側嵌合凹部63に嵌合し、アーム８が嵌合円弧部21に嵌合して掃除機本体２の後部に固定される。
【００５７】
次に、上記第１の実施の形態による掃除動作を説明する。
【００５８】
通常の掃除の際には、アーム８を掃除機本体２に固定した状態で、電源コード24をコード口25から引き出して図示しないコンセントに接続し、握り管部７の把持部42を把持して所定の設定ボタンを操作し、電動送風機３を駆動させる。
【００５９】
そして、作業者は、握り管部７の把持部42を把持し、アップライト型電気掃除機１を前後に走行させて、床ブラシ11の吸込口から床面の塵埃を吸い込んで掃除する。
【００６０】
さらに、作業者は、把持部42を把持してアーム８により掃除機本体２を回動させるなどしてアップライト型電気掃除機１を移動させ、床面全体を掃除する。
【００６１】
また、例えばドアレールなど、床ブラシ11の幅が入らないような狭い場所などを掃除する際には、操作クランプ19の操作ボタン19aを前方に押すことで、係合部と係合孔部65との係合を外してアーム８を掃除機本体２から取り外し、このアーム８の先端部から塵埃を吸い込む。
【００６２】
さらに、机の上などを掃除する場合には、接続管部６を握り管部７から取り外し、この接続管部６の先端部から塵埃を吸い込む。
【００６３】
そして、塵埃とともに吸い込まれた空気は吸込風となり、この吸込風とともに塵埃がホース体５を介して集塵部４へと流入し、この集塵部４で直進方向の慣性力を与えられて塵埃と吸込風とが分離され、塵埃が捕集される。
【００６４】
塵埃を捕集された吸込風は、電動送風機３を通過して排気風となり、排気孔14から掃除機本体２の外部へと排気される。
【００６５】
上述したように、上記第１の実施の形態では、電動送風機３の吸込側および床ブラシ11の排気側にそれぞれ連通する風路を形成するとともに掃除機本体２を操作可能にする長手状のアーム８の上下方向の上端部に基端固定部45を設け、かつアーム８の上下方向の下端部に先端固定部46を設け、これら両固定部45，46でアーム８を掃除機本体２に着脱可能に固定する構成とした。
【００６６】
この結果、例えばアームを１箇所だけで掃除機本体に固定する従来の場合と比較して、回動の際に掃除機本体２とアーム８との間で発生するストレスをアーム８の長手方向の複数すなわち２箇所の各固定部45，46に分散して低減でき、アーム８を掃除機本体２に対して堅牢に固定できるとともに、作業者がアップライト型電気掃除機１を移動させる際などに握り管部７に加えた外力を、アーム８を介して掃除機本体２に確実に伝達でき、アップライト型電気掃除機１の操作性をも向上できる。
【００６７】
また、基端固定部45の前側にアーム側上部平面部62を設けるとともに、先端固定部46の後側にアーム側下部平面部73を設けることで、基端固定部45をアーム固定部13に固定する際および取付部９に先端固定部46を固定する際に、それぞれアーム側上部平面部62およびアーム側下部平面部73を案内し、アーム８を掃除機本体２に対して容易に取り付けできる。
【００６８】
さらに、アーム側上部平面部62とアーム側下部平面部73とが、アーム８の軸方向を中心として互いに反対の位置に設けられていることで、アーム８を回動させた場合にアーム８が歪んだりする変形を容易に防止できる。
【００６９】
そして、各固定部45，46に、アーム側上部固定面部61およびアーム側上部平面部62とアーム側下部固定面部72およびアーム側下部平面部73とをそれぞれ設けることで、比較的簡単な構成でアーム８を掃除機本体２に堅牢に固定し、アーム８の掃除機本体２に対する回動を確実に阻止できる。
【００７０】
また、本体側下部平面部77の上端部に連続する傾斜ガイド面部78を取付部９に設けることにより、取付部９に先端固定部46を固定する際に、アーム側下部平面部73を案内して掃除機本体２の斜め後方からアーム８を取付部９内に挿入して先端固定部46を位置合わせしながら基端固定部45をアーム固定部13に固定できるので、アーム８をより容易に掃除機本体２に取り付けできる。
【００７１】
さらに、基端固定部45とアーム固定部13とで抜け止め機構47を構成することにより、アーム側上部平面部62と本体側平面部16aとを位置合わせして基端固定部45をアーム固定部13に取り付けることで、抜け止め機構47も容易に位置決めできる。
【００７２】
そして、抜け止め機構47をアーム８の基端側に設けることで、抜け止め機構47が掃除機本体２の上部に位置するので、例えば抜け止め機構をアームの先端側に設ける場合と比較して、作業者が掃除作業中などに容易に操作クランプ19を操作してアーム８を掃除機本体２から取り外しできるので、作業性を向上できる。
【００７３】
なお、上記第１の実施の形態において、各固定部45，46は、上記構成に限定されるものではなく、他の様々な形態が可能である。
【００７４】
また、抜け止め機構47は、上記構成に限定されるものではなく、また、先端固定部46側に設ける構成なども可能である。
【００７５】
次に、第２の実施の形態の構成を図６および図７を参照して説明する。なお、上記第１の実施の形態と同様の構成については、同一符号を付してその説明を省略する。
【００７６】
この第２の実施の形態において、図６に示すように、握り管部７は、ホース体５の先端部に一体的に取り付けられている。また、この握り管部７は、合成樹脂などでアーム８と一体的に設けられている。すなわち、握り管部７の把持部42は、アーム８と一体的に設けられている。
【００７７】
さらに、握り管部７の本体部41は、アーム８の基端部の前側に、このアーム８に沿って筒状に設けられている。この本体部41の先端部には、固定部としての回動固定部91が設けられている。この回動固定部91は、アーム８の掃除機本体２に対する回動を阻止するとともに、アーム固定部13に着脱可能に固定される。さらに、把持部42は、本体部41の基端部であるホース体５との接続部近傍から突設されている。
【００７８】
ここで、アーム固定部13は、掃除機本体２の上端部の後部に設けられた段差部92と、この段差部92の後部に設けられた固定台部93とを備えている。
【００７９】
段差部92は、平面状の水平面部92aを有している。この水平面部92aは、固定台部93の後部から掃除機本体２の後端部に亘って略水平に設けられている。また、この水平面部92aの前端部には、この水平面部92aに対して上方に垂直面部92bが延設されている。この垂直面部92bは、固定台部93の後面を形成するものである。そして、これら水平面部92aおよび垂直面部92bにより、段差部92は、側面視で略Ｌ字状に形成されている。
【００８０】
水平面部92aは、アーム８を掃除機本体２に対して固定した際に、回動固定部91の下端面を支持する座部となるものである。また、水平面部92a上の後端部には、この水平面部92aに対して垂直な垂直係合部92cが突設されている。この垂直係合部92cは、回動固定部91の下端部に係合して、アーム８の掃除機本体２に対する前後方向への移動を規制する。さらに、この垂直係合部92cの上端部の後部には、後方に向けて下方に傾斜した係合傾斜面92dが設けられている。
【００８１】
また、固定台部93は、内部に中空な空間部93aが形成されている。この空間部93aは、固定台部93の後部である垂直面部92bを貫通して設けられた後部貫通孔93bと、固定台部93の上面部93cを貫通して設けられた上部貫通孔93dとにより、固定台部93の外部と連通している。さらに、固定台部93には、可動係合体としての可動クランプ94が設けられている。
【００８２】
この可動クランプ94は、上方に向けて略垂直に突出したクランプ操作ボタン94aと、このクランプ操作ボタン94aの下端部から後方に向けて略水平に突出した後方係合部94bとを備え、側面視で略Ｌ字状に形成されている。
【００８３】
クランプ操作ボタン94aは、上部貫通孔93dに挿通され、固定台部93の上部に突出している。また、このクランプ操作ボタン94aは、上部貫通孔93dよりも小さく形成されている。
【００８４】
後方係合部94bは、後部貫通孔93bに挿通され、固定台部93から後方に突出して段差部92内に位置している。また、この後方係合部94bの上端部には、この後方係合部94bの後端部から前側に向けて上方に傾斜した傾斜面94cが形成されている。そして、この後方係合部94bは、回動固定部91の前部に係合して、アーム８の掃除機本体２に対する上下方向への移動を規制する。
【００８５】
さらに、可動クランプ94は、クランプ操作ボタン94aと後方係合部94bとの連接部に四角形状の切欠凹部95が切り欠き形成されている。この切欠凹部95には、付勢手段としてのスプリング96が取り付けられ、可動クランプ94を後方向に向けて付勢している。
【００８６】
そして、可動クランプ94のクランプ操作ボタン94aは、上部貫通孔93dに対して前後に所定のクリアランスを有しており、可動クランプ94が前後方向に可動可能となっている。
【００８７】
一方、回動固定部91は、下端部および前部に、下部係合孔101および前部係合孔102が穿設されている。
【００８８】
下部係合孔101は、アーム８を掃除機本体２に対して取り付けた状態で垂直係合部92cが係合することで、アーム８を掃除機本体２に対して前後方向に固定するものである。
【００８９】
前部係合孔102は、アーム８を掃除機本体２に対して取り付けた状態で可動クランプ94の後方係合部94bの先端部である傾斜面94c側が係合することで、アーム８を掃除機本体２に対して上下方向に固定するものである。
【００９０】
また、この前部係合孔102の上方の位置した回動固定部91の内部には、略直方体状の係止解除体103が設けられている。この係止解除体103は、下端部の前部から、下方に向けて後方に傾斜した解除体傾斜面103aを備えている。すなわち、解除体傾斜面103aは、係合傾斜面92dおよび傾斜面94cに対して略平行に設けられている。そして、この解除体傾斜面103aは、前部係合孔102から前方に臨んでいる。
【００９１】
さらに、係止解除体103の上端部の後部には、取付突出部104が突設されている。この取付突出部104の下部には、係止解除体103を上方向に付勢する付勢スプリング105の一端部である上端部が取り付けられている。この付勢スプリング105の他端部である下端部は、回動固定部91内に突設されたスプリング取付部106に固定されている。
【００９２】
そして、係止解除体103の上部には、第１の接続体としての接続ワイヤ107が取り付けられている。この接続ワイヤ107は、上下方向に沿って長手状に設けられ、本体部41内を貫通して把持部42の先端部である下端部近傍に上端部が延設されている。
【００９３】
また、本体部41と把持部42との連接部内には、接続ワイヤ107の上端部が固定された回動軸体111が設けられている。この回動軸体111は、図７に示すように、略菱形板状の接続部としての軸体本体111aを備え、この軸体本体111aの中心部に、この軸体本体111aから前後に突出する回動軸111bが一体に設けられている。
【００９４】
軸体本体111aは、両側部にはそれぞれ取付孔111c，111cが穿設されている。これら取付孔111c，111cは、それぞれ回動軸111bに対して互いに反対側、すなわち掃除機本体２の幅方向に対称な位置に設けられている。また、これら取付孔111cの一方には、接続ワイヤ107の上端部が回動可能に取り付けられ、取付孔111cの他方には、第２の接続体としてのトリガワイヤ112の下端部が回動可能に取り付けられている。
【００９５】
回動軸111bは、本体部41と把持部42との連接部内に前後方向に沿って、周方向に回動可能に軸支されている。
【００９６】
トリガワイヤ112の上端部には、解除操作部としてのロック解除トリガ113の下端部が取り付けられている。このロック解除トリガ113は、四角形板状のトリガ本体113aと、このトリガ本体113aの後部に突設された指掛け部113bとを有し、把持部42の本体部41側すなわち後部に設けられている。
【００９７】
トリガ本体113aは、把持部42の後部に設けられた取付穴部114に嵌合され、この取付穴部114の長手方向である上下方向に沿って摺動可能に設けられている。
【００９８】
指掛け部113bは、把持部42の後部に突出し、作業者が把持部42を把持した手の指を引掛けてロック解除トリガ113を上下に操作可能となっている。
【００９９】
そして、このロック解除トリガ113は、係止解除体103、接続ワイヤ107および回動軸体111により構成された解除手段115を操作することで、回動固定部91によるアーム８の掃除機本体２への固定を解除する。
【０１００】
次に、上記第２の実施の形態の作用を説明する。
【０１０１】
作業者がアーム８を掃除機本体２に取り付ける際には、回動固定部91を段差部92に対して上方から垂直下方に移動させることで、下部係合孔101に垂直係合部92cが挿入されて係合されるとともに、回動固定部91の前部が可動クランプ94を前方へと押し込みつつ下方へ移動し、可動クランプ94の後方係合部94bが前部係合孔102に対応する位置となると、スプリング96により可動クランプ94が元の位置に弾性的に復帰して後部貫通孔93bから段差部92内に突出し、後方係合部94bが前部係合孔102に挿入されて係合され、アーム８が掃除機本体２に固定される。
【０１０２】
一方、解除手段115によりアーム８を掃除機本体２から取り外す際には、作業者が把持部42を把持して指をロック解除トリガ113の指掛け部113bに掛け、このロック解除トリガ113を上方に移動させると、このロック解除トリガ113とともにトリガワイヤ112が上方に移動することで、回動軸体111が回動軸111bを中心に回動し、軸体本体111aの他側部の上方への移動に伴って軸体本体111aに一側部が下方に移動する。
【０１０３】
そして、軸体本体111aの一側部の下方への移動に伴って接続ワイヤ107が下方に移動することで、係止解除体103が下方に移動し、この係止解除体103の解除体傾斜面103aが可動クランプ94の傾斜面94cに当接しつつ係止解除体103が下方に移動してスプリング96の付勢に抗して可動クランプ94を前方に押し込み、係止解除体103の解除体傾斜面103aが係合傾斜面92dに当接するまで係止解除体103が下方に移動すると、後方係合部94bが前部係合孔102から外れ、作業者がアーム８を上方に引き抜くことで、アーム８が掃除機本体２から取り外される。
【０１０４】
アーム８を掃除機本体２から取り外した後は、作業者がロック解除トリガ113の指掛け部113bに掛けた指を開放すると、付勢スプリング105の付勢により、係止解除体103が元の位置に復帰することで、接続ワイヤ107を介して回動軸体111が元の位置に弾性的に復帰し、この復帰に伴いトリガワイヤ112を介してロック解除トリガ113が元の位置に弾性的に復帰する。
【０１０５】
同様に、可動クランプ94も、スプリング96により元の位置に弾性的に復帰する。
【０１０６】
また、掃除機本体２側でも、可動クランプ94のクランプ操作ボタン94aを前方に移動させることで、後方係合部94bと前部係合孔102との係合を解除し、アーム８を上方へ引き抜いてアーム８を掃除機本体２から取り外すことも可能である。
【０１０７】
上述したように、上記第２の実施の形態によれば、回動固定部91および先端固定部46でアーム８を掃除機本体２に着脱可能に固定するなど、上記第１の実施の形態と同様の構成を有することにより、上記第１の実施の形態と同様の作用効果を奏することができる。
【０１０８】
また、把持部42に設けたロック解除トリガ113を操作することで解除手段115によりアーム８を掃除機本体２から容易に取り外しできるため、把持部42を把持してアップライト型電気掃除機１を前後に移動させつつ床ブラシ11から塵埃を吸い込んで掃除している状態から、アーム８を取り外して掃除する状態へと容易に切り換えできるので、使い勝手が良好になり、掃除の作業性を向上できる。
【０１０９】
さらに、ロック解除トリガ113、トリガワイヤ112、回動軸体111、接続ワイヤ107および係止解除体103などによる比較的簡単な構成で、回動固定部91とアーム固定部13との固定を容易に取り外しでき、製造性をも向上できる。
【０１１０】
なお、上記第２の実施の形態において、解除手段115は、回動固定部91とアーム固定部13との固定、あるいは先端固定部46と取付部９との固定を解除できれば、上記構成に限定されるものではない。
【０１１１】
同様に、回動固定部91などは、解除手段115にて回動固定部91とアーム固定部13との固定を解除できる構成とすれば、上記構成に限定されるものではない。
【０１１２】
また、上記各実施の形態において、固定部をアーム８の軸方向に３箇所以上設ける構成なども可能である。
【０１１３】
さらに、阻止部は、平面状部を有していない構成も可能である。
【０１１４】
またさらに、アーム側上部固定面部61、アーム側上部平面部62、アーム側下部固定面部72およびアーム側下部平面部73は、一部が平面状などであれば、全体が平面状でない構成も可能であり、略平面状の構成とすることも可能である。
【０１１５】
そして、アップライト型電気掃除機１の細部は、上記構成に限定されるものではない。
【図面の簡単な説明】
【０１１６】
【図１】本発明の一実施の形態のアップライト型電気掃除機の一部の後側を示す斜視図である。
【図２】同上アップライト型電気掃除機の後側上部を示す斜視図である。
【図３】同上アップライト型電気掃除機の固定部を示す下側からの斜視図である。
【図４】同上アップライト型電気掃除機の後側下部を示す斜視図である。
【図５】同上アップライト型電気掃除機を示す斜視図である。
【図６】本発明の第２の実施の形態のアップライト型電気掃除機の一部を示す縦断面図である。
【図７】同上アップライト型電気掃除機の解除手段を示す正面図である。
【符号の説明】
【０１１７】
１    アップライト型電気掃除機
２    掃除機本体
３    電動送風機
８    アーム
11    吸込口体としての床ブラシ
42    把持部
45    固定部としての基端固定部
46    固定部としての先端固定部
61    阻止部としての平面状部であるアーム側上部固定面部
62    阻止部としての平面状部であるアーム側上部平面部
72    阻止部としての平面状部であるアーム側下部固定面部
73    阻止部としての平面状部であるアーム側下部平面部
91    固定部としての回動固定部
113   解除操作部としてのロック解除トリガ
115   解除手段
【図１】
2005118306.tif 000003
【図２】
2005118306.tif 000004
【図３】
2005118306.tif 000005
【図４】
2005118306.tif 000006
【図５】
2005118306.tif 000007
【図６】
2005118306.tif 000008
【図７】
2005118306.tif 000009